(57)【要約】【課題】      日中の紫外線下においては、一部の図柄や色彩が明確に認識でき、また暗闇においては、太陽光や照明光を蓄光した図柄部分が自然発光することで、異なったデザインや色彩を浮き出させることができる変色性衣服を提供すること。【解決手段】  本発明の変色性衣服は、衣服を構成する基材上に、枠線を形成する第一図柄と、フォトクロミックインキを使用した第二図柄と、蓄光剤を使用した第三図柄とを施したことを特徴とする。また、前記図柄上に小形状の金属片を設けた。【選択図】    図１
2006022458.tif 000002
【特許請求の範囲】
【請求項１】
衣服を構成する基材上に、枠線を形成する第一図柄と、フォトクロミックインキを使用した第二図柄と、蓄光剤を使用した第三図柄とを施したことを特徴とする変色性衣服。
【請求項２】
前記図柄上に小形状の金属片を設けた請求項１記載の変色性衣服。
【発明の詳細な説明】
【技術分野】
【０００１】  本発明は、日中の紫外線下、または暗闇において、それぞれ異なった図柄と色彩を浮き出させることができる変色性衣服に関する。
【背景技術】
【０００２】  従来、広い蛍光面積を有して十分な安全性を確保することができるものでありながら、着用者の行動の妨げとなることがない安全衣類がある（例えば、特許文献１参照）。
上掲特許文献１には、橙色の上着の前側上部に発光染料で着色された橙色の布片を縫い付け、また後側には、発光染料又は反射染料で着色された橙色のＶ字状布を縫い付け、さらに、必要に応じて袖及びズボンにも同色の発光布を縫い付けることが記載されている。
【特許文献１】特開開０８−１５８１１９号公報（第１−２頁、図１）
【発明の開示】
【発明が解決しようとする課題】
【０００３】  しかしながら、上述構成の安全衣類においては、蛍光布片が光を反射させることで、夜間に十分な安全性が確保されるが、日中の太陽光の下では、蛍光布片の認識力を高めることができなかった。また、発光部分のデザイン性や美観を向上させるにまでは至らなかった。【０００４】  そこで本発明は上記の点に鑑み、日中の紫外線下においては、一部の図柄や色彩が明確に発色され、または暗闇において、太陽光や照明光を蓄光した図柄部分が自然発光することで、異なったデザインや色彩を浮き出させることができる変色性衣服を提供することにある。
【課題を解決するための手段】
【０００５】  上記問題を解決するために本発明の変色性衣服は、衣服を構成する基材上に、枠線を形成する第一図柄と、フォトクロミックインキを使用した第二図柄と、蓄光剤を使用した第三図柄とを施したことを特徴とする。また、前記図柄上に小形状の金属片を設けた。
【発明の効果】
【０００６】  枠線を形成する第一図柄にて、基材上の図柄や色彩を明確に表現することができる。また、フォトクロミックインキを使用した第二図柄部分は、室内においては無色であるが、屋外で太陽光からの紫外線を照射させることで、無色から鮮明な色彩を発することができる。そのため、デザイン的、また色彩面において優れた特徴を発揮することができる。また、蓄光剤を使用した第三図柄は、暗闇において自然発光するため、幻想的なデザインや色彩を浮き出させることができると共に、夜間における安全性も向上する。さらに、図柄上に小形状の金属片を設けたことで、照射される光をきらきらと反射することができ、図柄や色彩を豪華に演出させることが可能となる。
【発明を実施するための最良の形態】
【０００７】  以下本発明の変色性衣服における実施の形態を図面に基づき説明する。
図１に示す変色衣服１は、Ｔシャツ、トレーナー、シャツ、ジャケット等の上着から、ズボンにかけて身体に着衣できるもの全てが該当する。また変色性衣服１の基材１０は、織布または不織布からなり、天然繊維、化学繊維、天然繊維と化学繊維の混紡からなる素材で形成されている。【０００８】  また図２に示すように、前記基材１０上の一部には、枠線を形成する第一図柄１１と、フォトクロミックインキを使用した第二図柄１２と、蓄光剤を使用した第三図柄１３とが施されている。【０００９】  枠線を形成する第一図柄１１は、防水性を有する汎用の暗色インクが使用され、シルク印刷等にて図柄の枠や周囲枠に施されている。かかる第一図柄１１を施すことにより、後述詳細の第二図柄１２や第三図柄１３の色彩を明確に浮き出させることができる。【００１０】  第二図柄１２を構成するフォトクロミックインキは、物質に光を当てるか、または光を遮断すると、物質の化学構造が変わり、可視部に及ぶ光の吸収スペクトルが変動し、可逆的または不可逆的に発色・消色（または有色から有色）に変化する特徴を有する。前記フォトクロミックインキを構成する素材としては、アゾベンゼン色素、シッフ塩基、スピロピラン系色素、テトラクロロケトジヒドロナフタリン、トリフェニルイミダゾイル、チアジン系化合物、ピオロゲン系化合物、フルギドなどの数種類の変色機構をもった有機化合物が挙げられる。【００１１】  前記フォトクロミックインキを使用して形成される第二図柄１２は、紫外線が照射されない室内においては、図４に示すように消色されて無色の状態であるが、屋外で紫外線が照射された場合、図５に示すように発色されて図柄や色彩が鮮明に浮き出される。【００１２】  第三図柄１３を構成する蓄光剤は、光を蓄え自然発光が可能な素材、例えば、アルミン酸ストロンチューム系の蓄光剤が挙げられる。またその他、周知の金属化合物や希土類を複数混合し、汎用の展色剤を混合して生成するものが使用される。【００１３】  前記蓄光剤を使用して形成される第三図柄１３は、日中の太陽光や照明器具からの光を蓄光し、図６に示すように、夜間において第三図柄１３全体から蛍光色を自然発光させることができる。そのため、幻想的なデザインや色彩を浮き出させると共に、夜間における認識力が高まり安全性が向上する。なお、前記第二図柄１２および第三図柄１３等は周知のシルク印刷を使用して基材１０上に設けられている。【００１４】  また他の好適例として、図３に示すように、前記図柄上に小形状の金属片１４を設けることが好ましい。かかる金属片１４は、特に反射効率の高いアルミ素材からなる金属が使用される。かかる金属片１４を接着剤等を用いて図柄上に設けることで、太陽光や照明器具の光、さらには、第三図柄１３からの発光をきらきらと反射させることができ、図柄や色彩をより豪華に演出させることができる。【００１５】  なお図中、前記第一図柄１１、第二図柄１２および第三図柄１３等は、変色性衣服１の前面に設けられているが、これに限らず、デザイン性を考慮した場合、胸部や腕部のワンポイントとして、さらに夜間における安全性に配慮した場合、前面や背面に、さらにはズボン等に設けてもよい。また、基材１０上に設けられる夫��の図柄や色彩は特に限定されたものではなく、図７に示すようなフルーツを表現した図柄１５を設けてもよいことは言うまでもない。
【図面の簡単な説明】
【００１６】
【図１】本発明の発光性衣服の全体図である。
【図２】前記発光性衣服の拡大断面図である。
【図３】他の好適例を示す発光性衣服の拡大断面図である。
【図４】屋内における図柄の正面図である。
【図５】紫外線を照射させた状態の図柄の正面図である。
【図６】第三図柄が暗闇で発光している状態である。
【図７】基材上に設けられた他の図柄の正面図である。
【符号の説明】
【００１７】１    変色性衣服
１０  基材
１１  第一図柄
１２  第二図柄
１３  第三図柄
１４  金属片
１５  図柄
【図１】
2006022458.tif 000003
【図２】
2006022458.tif 000004
【図３】
2006022458.tif 000005
【図４】
2006022458.tif 000006
【図５】
2006022458.tif 000007
【図６】
2006022458.tif 000008
【図７】
2006022458.tif 000009